(57)【要約】【課題】縦材に沿って上下にスライド自在な障子を備え、その障子のメンテナンスが容易な開口部装置を提供すること。【解決手段】縦材と横材により枠組みされた枠体２を備えた開口部装置１であって、縦材としての方立３は、方立本体部３１と、方立本体部３１の屋外側に設けられ且つ障子８の左框８３が挿入されて上下にスライド自在に保持される溝３２２ａ，３２３ａを有する方立側保持部３２と、を有し、方立側保持部３２は、前記縦材本体部から屋外側に延出する方立見込部３２１と、該見込部の先端から見付方向内側に延出する方立見付部３２２，３２３と、を有し、左框８３は、左框本体８３１と、左框本体８３１と方立見込部３２１との間に配置され且つ左框本体８３１に取り付けられる左アタッチメント材８３２と、を有する【選択図】図５
2015175153.tif 000002
【特許請求の範囲】
【請求項１】
縦材と横材により枠組みされた枠体を備えた開口部装置であって、
前記縦材は、縦材本体部と、該縦材本体部の屋外側に設けられ且つ障子の縦框が挿入されて上下にスライド自在に保持される溝を有する保持部と、を有し、
前記保持部は、前記縦材本体部から屋外側に延出する見込部と、該見込部の先端から見付方向内側に延出する見付部と、を有し、
前記縦框は、縦框本体と、該縦框本体と前記見込部との間に配置され且つ前記縦框本体に取り付けられるアタッチメント材と、を有する開口部装置。
【請求項２】
前記見付部の先端は、前記縦框本体よりも見付方向外側に配置される請求項１記載の開口部装置。
【請求項３】
前記縦框本体は、ガラスが嵌め込まれる溝を形成するガラス保持部を有し、
前記アタッチメント材は、前記ガラス保持部の内側から締結部材によって前記縦框本体に取り付けられる請求項１又は２記載の開口部装置。
【請求項４】
前記ガラス保持部の内側から前記締結部材を取り外すことで、前記アタッチメント材と前記縦框本体とを分離する工程と、
前記アタッチメント材の分離された框体を、見込み方向に移動させて前記枠体内から取り外す工程と、を含む請求項３記載の開口部装置のメンテナンス方法。
【発明の詳細な説明】
【技術分野】
【０００１】
本発明は、開口部装置及びそのメンテナンス方法に関する。
【背景技術】
【０００２】
従来、店舗等では火災に発生する煙を排出するための排煙窓が設置されている場合がある。このような排煙窓としては、外倒し窓や内倒し窓を用いるものが知られている。しかし、外倒しの排煙窓は、排煙窓の開放時に障子が店舗に沿う公道にせり出すため、公道に面した店舗等では採用できない。また、内倒しの排煙窓を使用すると、排煙窓の開放時に障子がせり出すためのスペースを店舗内に予め確保する必要があるので、売り場面積が狭くなってしまう。
【０００３】
このような問題に対して、障子が縦枠に沿ってスライドするタイプの排煙窓が提案されている（例えば、特許文献１参照）。このような排煙窓であれば、障子が屋外や屋内にせり出すことがない。
【先行技術文献】
【特許文献】
【０００４】
【特許文献１】特許第４８３８３４３号公報
【発明の概要】
【発明が解決しようとする課題】
【０００５】
ところで、障子が縦枠に沿ってスライドするタイプの排煙窓においても、障子の框や框に嵌め込まれたガラスが破損した場合には、障子を取り外してメンテナンスをする必要がある。
しかしながら、従来の障子が縦枠に沿ってスライドするタイプの排煙窓においては、障子が縦枠に形成された溝部に深く収まっており、障子を取り外す際には方立を分解する大掛かりな作業を行う必要があり、非常に煩雑であった。
【０００６】
本発明は上記に鑑みてなされたものであり、その目的は、縦材に沿って上下にスライド自在な障子を備え、その障子のメンテナンスが容易な開口部装置を提供することにある。
【課題を解決するための手段】
【０００７】
上記目的を達成するため本発明は、縦材（例えば、後述の縦枠２３、方立３）と横材（上枠２１、下枠２２）により枠組みされた枠体（例えば、後述の枠体２）を備えた開口部装置（例えば、後述の開口部装置１）であって、前記縦材は、縦材本体部（例えば、後述の縦枠本体部２３１、方立本体部３１）と、該縦材本体部の屋外側に設けられ且つ障子（例えば、後述の障子８）の縦框（例えば、後述の左框８３、右框８４）が挿入されて上下にスライド自在に保持される溝（例えば、後述の溝２３４ａ，３２２ａ，３２３ａ）を有する保持部（例えば、後述の縦枠側保持部２３２，方立側保持部３２）と、を有し、前記保持部は、前記縦材本体部から屋外側に延出する見込部（例えば、後述の縦枠見込部２３３、方立見込部３２１）と、該見込部の先端から見付方向内側に延出する見付部（例えば、後述の縦枠見付部２３４、方立見付部３２２，３２３）と、を有し、前記縦框は、縦框本体（例えば、後述の左框本体８３１、右框本体８４１）と、該縦框本体と前記見込部との間に配置され且つ前記縦框本体に取り付けられるアタッチメント材（例えば、後述の左アタッチメント材８３２、右アタッチメント材８４２）と、を有する開口部装置を提供する。
【０００８】
本発明では、縦材に沿って上下にスライド自在な障子を備える開口部装置において、障子の縦框がそれぞれ、縦框本体と、アタッチメント材と、を有するものとした。また、アタッチメント材が、障子をスライド自在に保持する溝を有する保持部の見込部と縦框本体との間に配置されて縦框本体に取り付けられるものとする。
これにより、ガラスが割れた場合等に、障子を枠体から取り外してメンテナンスを行うのが容易になる。つまり、本発明では、縦框本体とアタッチメント材とを分離することで、縦材（方立）を分解しなくても、障子を枠体から取り外すことができる。また、メンテナンスの際に、縦材（方立）を分解することなく障子を枠体から取り外せるので、段窓においては縦材（方立）の、段窓の下側のガラスを保持する部分が損傷することもない。
【０００９】
また、前記見付部の先端は、前記縦框本体よりも見付方向外側に配置されることが好ましい。
【００１０】
また、前記縦框本体は、ガラスが嵌め込まれる溝を形成するガラス保持部（例えば、後述の左框ガラス保持部８３１ａ、右框ガラス保持部８４１ａ）を有し、前記アタッチメント材は、前記ガラス保持部の内側から締結部材（例えば、後述のビス８３１ｃ，８４１ｃ）によって前記縦框本体に取り付けられることが好ましい。
【００１１】
また、本発明は、前記ガラス保持部の内側から前記締結部材を取り外すことで、前記アタッチメント材と前記縦框本体とを分離する工程と、前記アタッチメント材の分離された框体を、見込み方向に移動させて前記枠体内から取り外す工程と、を含む開口部装置のメンテナンス方法を提供する。
【発明の効果】
【００１２】
本発明によれば、縦材に沿って上下にスライド自在な障子を備え、その障子のメンテナンスが容易な開口部装置を提供することができる。
【図面の簡単な説明】
【００１３】
【図１】本発明の一実施形態に係る開口部装置を屋内側から見た姿図である。
【図２】上記実施形態に係る開口部装置の縦断面図（図１のＡ−Ａ線断面図）である。
【図３】上記実施形態に係る開口部装置の横断面図（図１のＢ−Ｂ線断面図）である。
【図４】上記実施形態に係る開口部装置の横断面図（図１のＣ−Ｃ線断面図）である。
【図５】上記実施形態に係る開口部装置の方立周辺の拡大横断面図である。
【図６】上記実施形態に係る開口部装置の方立周辺の拡大横断面図であり、開口部装置のメンテナンス方法について説明するための図である。
【発明を実施するための形態】
【００１４】
以下、本発明の一実施形態について、図面を参照しながら詳しく説明する。なお、本明細書において、「見付方向」とは、建物に形成された開口部に納められた開口部装置の上枠、下枠、縦枠の長手方向（すなわち、ガラス又は障子の面内方向）を意味し、「見込方向」とは、屋内外方向（すなわち、奥行き方向を意味する。
図１は、本実施形態に係る開口部装置１を屋内側から見た姿図である。開口部装置１は、店舗等に設置される排煙機構を有する開口部装置であり、本発明の一例としての連段窓である。
【００１５】
開口部装置１は、建物に形成された開口に納められる。開口部装置１は、建物の開口に取り付けられる枠体２を備える。枠体２は、上枠２１と、下枠２２と、屋内側から見ての左側の縦枠２３と、図示しない右側の縦枠と、により矩形に枠組みされる。
開口部装置１は、更に、枠体２を見付方向に並んだ複数の開口部に区画する方立３と、更に枠体２及び方立３によって形成される開口部を上下に区画する無目４と、を備える。
【００１６】
開口部装置１の、屋内側から見て左側から３本目の方立までは、無目４を境にして上段に排煙窓５１が納められ、下側にＦＩＸ窓５２が納められた排煙窓ユニット５が３ユニット連続して配設される。図１に示すように、開口部装置１は、屋内から見て最も左側の排煙窓ユニット５の上段において、縦材としての縦枠２３及び方立３と、横材としての上枠２１及び無目４と、により枠組みされた枠体２０と、枠体２０内に納められ且つ縦枠２３及び方立３に沿って上下にスライド自在な障子８と、を備える。障子８は、後述する上框８１、下框８２、左框８３及び右框８４により框組みされる。この部分については後段で詳述する。
【００１７】
開口部装置１は、更にオペレータ２３５を有する。オペレータ２３５は、方立３や縦枠２３の上側に配置されて固定される。オペレータ２３５は、見付方向に延びるワイヤ７の端部を巻き取って排煙窓の重みを支える。オペレータ２３５は、操作引手２３６と、上昇コード２３７と、を有する。操作引手２３６を引くことでオペレータ２３５のロック機構が解除され、通常閉鎖されている排煙窓５１が自重で下がって開放される。一方、上昇コード２３７を引くことで排煙窓５１を上昇させて閉鎖させることができる。見付方向に並んだ３つの排煙窓５１は、連動しており、オペレータ２３５によって一括して開放・閉鎖を行うことが可能である。
【００１８】
開口部装置１の、屋内側から見て左側から３本目の方立よりも右側には、無目４を境にして上下にＦＩＸ窓６１，６２が納められたＦＩＸ窓ユニット６が連設される。
続いて、図２〜図５により、開口部装置１の屋内側から見て左側部分の構造（排煙窓ユニット５）について詳しく説明する。なお、図２〜図５は、開口部装置１において障子８が閉鎖した状態における断面図である。
【００１９】
図２は、開口部装置１の縦断面図であって、図１のＡ−Ａ線断面図である。図２に示すように、開口部装置１は、上段に位置する障子８に納められたガラス５１ａ及び下段の開口部に納められたガラス５２ａを備える。ガラス５１ａ及びガラス５２ａは単板ガラスである。
【００２０】
図２に示すように、上枠２１は、屋内側に配置される上方に開放された断面コ字状である上枠本体部２１１と、上枠本体部２１１から屋外側に延設され且つ溝２１２ａを形成する上枠延設部２１２と、更に上枠延設部２１２から屋外側に延設されて下方に屈曲する上枠屈曲部２１３と、を有する。上枠本体部２１１の下面には、滑車部材２１４が配置される。滑車部材２１４は回動自在な円盤を有し、ワイヤ７を介して後述する障子８からの負荷を受ける。溝２１２ａは、溝塞ぎ部材２１５によって塞がれる。上枠本体部２１１の下面と溝塞ぎ部材２１５の下面は面一に形成される。上枠屈曲部２１３の下面には、障子８と上枠２１との間に雨水等が浸入することを防ぐための水切り材２１３ａが配置される。
上枠２１は、例えば、アルミニウムを押し出し成型することによって形成することができる。
【００２１】
無目４は、屋内側に配置され且つ中空部を有するホロー構造である無目本体部４１を有する。無目本体部４１は、屋外側の端部から垂設する垂設部４１ａを有することでガラス５２ａの上端部を保持する溝４１ｂを形成する。
無目４は、例えば、アルミニウムを押し出し成型することによって形成することができる。
【００２２】
下枠２２は、屋内側に配置され且つ中空部を有するホロー構造である下枠本体部２２１と、下枠本体部２２１から屋外側に延設され且つ中空部を有するホロー構造である下枠延設部２２２と、を有する。下枠本体部２２１は、屋外側の上端から立設され且つ後述する溝２２３ａの屋内側の一部を形成する立設部２２１ａを有する。
【００２３】
下枠２２は、アンカー２２５，２２６にそれぞれ係合された水切り材２２７及び支持部材２２８と屋内外方向からビス等の固定具により締結されて支持される。このような構造によって、下枠２２は、水切り材２２７及び支持部材２２８から分離してリサイクルすることが可能になっている。下枠２２は、例えば、アルミニウムを押し出し成型することによって形成することができる。
下枠２２の屋外上側には、下枠延設部２２２に係止されるガラス保持部材２２３が配置される。下枠２２及びガラス保持部材２２３によって、ガラス５２ａの下端部を保持する溝２２３ａが形成される。なお、図示しない右側の縦枠の下部には、キャップ部材２４１が配置される。
【００２４】
ガラス５２ａは、溝２２３ａの内部に配置される支持部材５２ｆによって支持される。ガラス５２ａの上端部は、溝４１ｂ内において、バックアップ材５２ｊ，５２ｊによって挟まれる。更にバックアップ材５２ｊ，５２ｊの下方には、シール材５２ｉ，５２ｉが塗工される。ガラス５２ａの下端部は、溝２２３ａ内において、バックアップ材５２ｇ，５２ｇによって挟まれる。更にバックアップ材５２ｇ，５２ｇの上方には、シール材５２ｈ，５２ｈが塗工される。
【００２５】
図２に示すように、障子８は、屋外側の上方に配置される。
障子８の上框８１は、中空部を有するホロー構造である上框本体部８１１を有する。上框本体部８１１は、屋内側下部から垂設された上框本体垂設部８１１ａと、屋外側上部から立設された上框本体立設部８１１ｂと、屋内側上部から立設され且つ屋内側にモヘア部材８１１ｄが配置された上框本体立設部８１１ｃと、を有する。上框本体立設部８１１ｂは、水切り材２１３ａに当接する。上框８１の屋内側面には、滑車部材８１３が配置される。滑車部材８１３は回動自在な円盤を有し、ワイヤ７によって支持される。
【００２６】
上框８１の屋外下側には、上框本体部８１１に係止されるガラス保持部材８１２が配置される。上框８１及びガラス保持部材８１２によって、ガラス５１ａの上端部を保持する溝８１２ａが形成される。
【００２７】
障子８の下框８２は、中空部を有するホロー構造である下框本体部８２１を有する。下框本体部８２１は、屋内側上部から立設された下框本体立設部８２１ａと、屋外側下部から垂設された下框本体垂設部８２１ｂと、屋内側下部から垂設され且つ屋内側にモヘア部材８２１ｄが配置された下框本体垂設部８２１ｃと、を有する。下框本体垂設部８２１ｂの先端及び下框本体垂設部８２１ｃの先端によって、緩衝部材８２１ｅが挟持される。緩衝部材８２１ｅは、障子８の開放時に、縦枠２３及び方立３に配置される図示しない障子落下防止部材に当接する。
【００２８】
下框８２の屋外上側には、下框本体部８２１に係止されるガラス保持部材８２２が配置される。下框８２及びガラス保持部材８２２によって、ガラス５１ａの下端部を保持する溝８２２ａが形成される。
【００２９】
ガラス５１ａは、溝８２２ａの内部に配置される支持部材５１ｆによって支持される。ガラス５１ａの上端部は、溝８１２ａ内において、バックアップ材５１ｊ，５１ｊによって挟まれる。更に屋外側のバックアップ材５１ｊの下方には、シール材５１ｉが塗工される。ガラス５１ａの下端部は、溝８２２ａ内において、バックアップ材５１ｇ，５１ｇによって挟まれる。更に屋外側のバックアップ材５１ｇの上方には、シール材５１ｈが塗工される。
【００３０】
図３は、開口部装置１の横断面図であって、図１のＢ−Ｂ線断面図である。つまり、図３では、排煙窓ユニット５のうち、ＦＩＸ窓５２における横断面図を示す。
縦枠２３は、屋内側に配置される縦枠本体部２３１と、縦枠本体部２３１の屋外側に設けられる縦枠側保持部２３２と、有する。
【００３１】
縦枠本体部２３１は、例えば、断面Ｓ字状に形成される。縦枠本体部２３１には、屋内側から見て右側に開放された溝２３１ａが形成される。
【００３２】
縦枠側保持部２３２は、縦枠本体部２３１の屋外側から延設される。
縦枠側保持部２３２は、縦枠本体部２３１から屋外側に延出する縦枠見込部２３３と、縦枠見込部２３３の先端から見付方向内側（屋内側から見て右側）に延出する縦枠見付部２３４と、を有する。縦枠見付部２３４は、屋内側から見て右側に開放される溝２３４ａを有する。
【００３３】
図３に示すように、方立３は、屋内側に配置される方立本体部３１と、方立本体部３１の屋外側に設けられる方立側保持部３２と、有する。
方立本体部３１は、筒状に形成される。方立本体部３１は、屋内側から見て、右側に配置される第１の方立本体部３１１と、左側に配置される第２の方立本体部３１２と、を有する。第１の方立本体部３１１は、例えば、断面Ｓ字状に形成される。
【００３４】
第１の方立本体部３１１には、屋内側から見て左側に開放された溝３１１ａが形成される。一方、第２の方立本体部３１２には、溝３１１ａとは逆方向に開放された溝３１２ａが形成される。
本実施形態において、隣り合う一対のガラス５２ａ，５２ａは、それぞれ溝３１１ａ，３１２ａに対向する側端部が挿入されて保持される。溝３１１ａと溝３１２ａとでは、溝３１１ａの方が深い溝に形成される。第１の方立本体部３１１及び第２の方立本体部３１２は、それぞれ溝３１１ａ，３１２ａが形成された部位において締結部材としてのビス３１３を用いて締結される。
【００３５】
方立側保持部３２は、第１の方立本体部３１１側の屋外側から延設される。
方立側保持部３２は、方立本体部３１（第１の方立本体部３１１）から屋外側に延出する方立見込部３２１と、方立見込部３２１の先端から見付方向内側にそれぞれ延出する方立見付部３２２，３２３と、を有することで断面Ｔ字状に形成される。方立見付部３２２，３２３は、それぞれ屋内側から見て右側と左側に延出する。方立側保持部３２は、屋内側から見て、右側に開放される溝３２２ａと、左側に開放される溝３２３ａとを有する。
【００３６】
ガラス５２ａの屋内側から見て左側の端部は、溝２３１ａ内において、バックアップ材５２ｂ，５２ｂによって挟まれる。更にバックアップ材５２ｂ，５２ｂの右側には、シール材５２ｃ，５２ｃが塗工される。ガラス５２ａの屋内側から見て右側の端部は、溝３１２ａ内において、バックアップ材５２ｄ，５２ｄによって挟まれる。更にバックアップ材５２ｄ，５２ｄの左には、シール材５２ｅ，５２ｅが塗工される。
【００３７】
図４は、開口部装置１の横断面図であって、図１のＣ−Ｃ線断面図である。つまり、図４では、排煙窓ユニット５のうち、排煙窓５１における横断面図を示す。図５は、開口部装置１の方立３周辺の拡大横断面図である。縦枠２３の構造は、基本的に方立３の屋内側から見て右側の構造と同様であるので、縦枠２３については拡大断面図を用いた説明を省略する。排煙窓５１部分における縦枠２３及び方立３の構造は、ＦＩＸ窓５２部分における縦枠２３及び方立３の構造と同様であるので、異なる構成、特に障子８について詳しく説明する。
【００３８】
図４に示すように縦枠本体部２３１に形成された溝２３１ａは、溝塞ぎ部材２３１ｂによって塞がれる縦枠本体部２３１及び溝塞ぎ部材２３１ｂによって形成される屋内側から見て右側の面は面一である。
方立本体部３１の溝３１１ａ，３１２ａも、溝２３１ａと同様に、溝塞ぎ部材３１１ｂ，３１２ｂによってそれぞれ塞がれる。
また、ＦＩＸ窓５２部分においては、縦枠側保持部２３２及び方立側保持部３２の内側に障子は配置されなかったが、排煙窓５１部分においては、障子８の左框８３及び右框８４がそれぞれ縦枠側保持部２３２及び方立側保持部３２に挿入され上下にスライド自在に保持される。
【００３９】
障子８の左框８３は、左框本体８３１と、左框本体８３１に取り付けられる左アタッチメント材８３２と、を有する。左框本体８３１は、ガラス５１ａが嵌め込まれる溝８３１ｂを形成する左框ガラス保持部８３１ａを有する。左アタッチメント材８３２は、左框本体８３１と、縦枠見込部２３３又は方立見込部３２１との間に配置される。左アタッチメント材８３２は、左框ガラス保持部８３１ａの内側から締結部材としてのビス８３１ｃによって左框本体８３１に取り付けられる。
ところで、左框本体８３１の屋外側の面は、縦枠見付部２３４及び方立見付部３２２の屋外側の面と略面一となるように形成される。開口部装置１を屋外側から観察した際に段差が目立たない程度、例えば、これらの面の見込み方向での差を−１〜１ｍｍとすることが好ましい。
【００４０】
障子８の右框８４は、右框本体８４１と、右框本体８４１に取り付けられる右アタッチメント材８４２と、を有する。右框本体８４１は、ガラス５１ａが嵌め込まれる溝８４１ｂを形成する右框ガラス保持部８４１ａを有する。右アタッチメント材８４２は、右框本体８４１と、方立見込部３２１との間に配置される。右アタッチメント材８４２は、右框ガラス保持部８４１ａの内側から締結部材としてのビス８４１ｃによって右框本体８４１に取り付けられる
ところで、右框本体８４１の屋外側の面は、方立見付部３２３の屋外側の面と略面一となるように形成される。開口部装置１を屋外側から観察した際に段差が目立たない程度、例えば、これらの面の見込み方向での差を−１〜１ｍｍとすることが好ましい。
【００４１】
ガラス５１ａの屋内側から見て左側の端部は、溝２３４ａ又は溝８３１ｂ内において、バックアップ材５１ｂ，５１ｂによって挟まれる。更に屋外側のバックアップ材５１ｂの右側には、シール材５１ｃ，が塗工される。ガラス５１ａの屋内側から見て右側の端部は、溝３２３ａ内において、バックアップ材５１ｄ，５１ｄによって挟まれる。更に屋外側のバックアップ材５１ｄの左には、シール材５１ｅが塗工される。
【００４２】
図５に示すように、左框８３の左框本体８３１は、左框ガラス保持部８３１ａの見付方向外側（屋内側から見て左側）から延出して屋内側に屈曲した係合部２３１ｄを更に有する。
左アタッチメント材８３２は、見付方向内側（屋内側から見て右側）から延出して屋外側に屈曲し且つ係合部８３１ｄと係合する被係合部８３２ｃを有する。右アタッチメント材８４２は、方立見付部３２２に当接するモヘア部材８３２ａと、方立見込部３２１に当接するモヘア部材８３２ｂと、を更に有する。
なお、方立見付部３２２の先端は、左框本体８３１よりも見付方向外側（屋内側から見て左側）に配置される。
右框８４の構造は、左框８３の構造と左右対称であるので説明を省略する。
【００４３】
続いて、開口部装置１のメンテナンス方法について説明する。図６は、開口部装置１の方立３周辺の拡大横断面図であり、開口部装置１のメンテナンス方法について説明するための図である。開口部装置１のメンテナンスは、障子８が破損した場合、例えば、障子８に嵌め込まれたガラス５１ａが割れてしまった場合に行われる。
【００４４】
本実施形態に係るメンテナンス方法は、締結部材としてのビス８３１ｃ，２４１ｃ，２３１ｃを取り外すことで、左アタッチメント材８３２（右アタッチメント材８４２）と左框８３（右框８４）とを分離する工程を有する、
この工程の前に、ガラス５１ａを障子８から完全に取り外しておいてもよい。この工程の前にはガラスを部分的に取り外して締結部材を取り外せる状態にしておく必要がある。
なお、この工程では、左アタッチメント材８３２と左框８３との分離及び右アタッチメント材８４２と右框８４との分離を両方行ってもよいし、一方のみ行ってもよい。
【００４５】
本実施形態に係るメンテナンス方法は、左アタッチメント材８３２（右アタッチメント材８４２）と分離された框体を、見込み方向（屋外側）に移動させて枠体内から取り外す工程を含む（図６参照）。
この工程によって、左アタッチメント材８３２（右アタッチメント材８４２）を方立３の溝３２２ａ（３２３ａ）に残しつつ、框体を取り外すことができる。
【００４６】
なお、このメンテナンス方法の工程を逆の順番で行えば、枠体の障子８を設置することができる。つまり、框体を、左アタッチメント材８３２（右アタッチメント材８４２）が内部に配置された枠体内に屋外側から嵌め込み、左アタッチメント材８３２（右アタッチメント材８４２）の被係合部８３２ｃ（８４２ｃ）に係合部８３１ｄ（８４１ｄ）を係合させる。そして、最後にガラス５１ａを框体内に取り付ける。
【００４７】
本実施形態によれば、以下の効果が奏される。
本実施形態では、縦枠２３及び方立３に沿って上下にスライド自在な障子８を備える開口部装置において、障子８の左框８３及び右框８４がそれぞれ、縦框本体（左框本体８３１又は右框本体８４１）と、アタッチメント材（左アタッチメント材８３２又は右アタッチメント材８４２）と、を有するものとした。また、アタッチメント材が、障子８をスライド自在に保持する溝を有する保持部（縦枠側保持部２３２又は方立側保持部３２）の見込部（縦枠見込部２３３又は方立見込部３２１）と縦框本体との間に配置されて縦框本体に取り付けられるものとした。
これにより、ガラス５１aが割れた場合等に、障子８を枠体２から取り外してメンテナンスを行うのが容易になる。つまり、本実施形態では、縦框本体とアタッチメント材とを分離することで、方立３を分解しなくても、障子８を枠体２から取り外すことができる。また、メンテナンスの際に、方立３を分解することなく障子８を枠体２から取り外せるので、方立３の、段窓の下側のガラス５２ａを保持する部分が損傷することもない。
【００４８】
また、縦枠２３の縦枠見付部２３４及び方立３の方立見付部３２２，３２３を、縦框本体（左框本体８３１又は右框本体８４１）よりも見付方向外側に配置した。
これにより、障子８を枠体２からより円滑に取り外すことができる。また、これにより、縦框本体（左框本体８３１又は右框本体８４１）の屋外側の面を、縦枠側保持部２３２及び方立側保持部３２（縦枠見付部２３４、方立見付部３２２，３２３）の屋外側の面と略面一又は面一に形成することもできる。これらの面を略面一になるようにすれば、開口部装置１を屋外側から観察した際の意匠性が向上する。
【００４９】
また、本実施形態では、縦框本体が、左框ガラス保持部８３１ａ及び右框ガラス保持部８４１ａを有し、左アタッチメント材８３２及び右アタッチメント材８４２が、これらのガラス保持部の内側からビス８３１ｃ，８４１ｃによって縦框本体に取り付けられるものとした。
これにより、ガラス５１ａが割れた際あるいはガラス５１ａを取り外した際に現れるビス８３１ｃ，８４１ｃを取り外すことで容易に縦框本体とアタッチメント材とを分離できる。
【００５０】
また、本実施形態では、開口部装置１のメンテナンス方法において、左框ガラス保持部８３１ａ及び右框ガラス保持部８４１ａの内側からビス８３１ｃ，８４１ｃを取り外すことで、左アタッチメント材８３２及び右アタッチメント材８４２をそれぞれ左框本体８３１又は右框本体８４１から分離した。また、左アタッチメント材８３２及び右アタッチメント材８４２の分離された框体を、見込み方向（屋外側）に移動させて枠体２内から取り外した。
このように、障子８を枠体２から容易に取り外してメンテナンスを行うことができる。
【００５１】
なお、本発明は上記実施形態に限定されるものではなく、本発明の目的を達成できる範囲での変形、改良等は本発明に含まれる。
上記実施形態では、縦枠２３と方立３との間、あるいは方立３と方立３との間に左アタッチメント材８３２及び右アタッチメント材８４２を備える障子８を配置したがこれに限定されず、例えば左右の縦枠の間に障子８を配置する構成としてもよい。
従来の、縦材に沿って上下にスライド自在な障子を備える開口部装置では、障子の取り外し及び取り付けを容易にするために、障子を保持する縦材の少なくとも一方は分解することが可能な方立としていた。上記実施形態に係る開口部装置１の障子８は、上記のように方立３を分解することなく容易に取り外し可能である。従って、建物の開口部に設置されることで容易に分解することができない左右の縦枠によって障子８を挟持する構成にしたとしても、障子８の取り外し及び取り付けを容易に行うことができる。
このように、本発明に係る開口部装置は、従来の縦材に沿って上下にスライド自在な障子を備える開口部装置と比べて、適用することが可能な仕様が格段に多い。
【符号の説明】
【００５２】
１…開口部装置
２…枠体
２１…上枠（横材）
２２…下枠（横材）
２３…縦枠（縦材）
２３１…縦枠本体部（縦材本体部）
３…方立（縦材）
３１…方立本体部（縦材本体部）
２３４ａ，３２２ａ，３２３ａ…溝
３２…方立側保持部（保持部）
２３２…縦枠側保持部（保持部）
２３３…縦枠見込部（見込部）
３２１…方立見込部（見込部）
３２２，３２３…方立見付部（見付部）
２３４…縦枠見付部（見付部）
８…障子
８３…左框（縦框）
８３１…左框本体（縦框本体）
８３１ａ…左框ガラス保持部（ガラス保持部）
８３１ｃ，８４１ｃ…ビス（締結部材）
８３２…左アタッチメント材（アタッチメント材）
８４…右框（縦框）
８４１…右框本体（縦框本体）
８４１ａ…右框ガラス保持部（ガラス保持部）
８４２…右アタッチメント材（アタッチメント材）
【図１】
2015175153.tif 000003
【図２】
2015175153.tif 000004
【図３】
2015175153.tif 000005
【図４】
2015175153.tif 000006
【図５】
2015175153.tif 000007
【図６】
2015175153.tif 000008